(57)【要約】【課題】引き出し式の容器に用いるスライドレールのレールを着脱可能にし、メンテナンス性の向上を図る。【解決手段】冷蔵庫は、庫内に設けられた収納容器を前後方向へ引き出し可能に支持するスライドレールを備える。前記スライドレールは、前記庫内の側壁に固定された固定部材と、前記固定部材に対して庫内側に設けられ前後方向へ移動可能である中間部材と、前記中間部材に対して庫内側に設けられ前後方向へ移動可能である移動部材と、を有する。前記中間部材が所定の位置である取外位置にある場合に前記中間部材が前記固定部材から取り外し可能になる。【選択図】図２
2015209993.tif 000002
【特許請求の範囲】
【請求項１】
庫内に設けられた収納容器を前後方向へ引き出し可能に支持するスライドレールを備え、
前記スライドレールは、
前記庫内の側壁に固定された固定部材と、
前記固定部材に対して庫内側に設けられ前後方向へ移動可能である中間部材と、
前記中間部材に対して庫内側に設けられ前後方向へ移動可能である移動部材と、を有し、
前記中間部材が所定の位置である取外位置にある場合に前記中間部材が前記固定部材から取り外し可能になる冷蔵庫。
【請求項２】
前記スライドレールは、前記固定部材に着脱可能に設けられたストッパ部材と、前記中間部材に設けられ前記ストッパ部材に係止する係止部と、を有し、
前記ストッパ部材が前記固定部材に取り付けられた状態では前記係止部と前記ストッパ部材とが係止することにより前記中間部材の移動が規制されて前記中間部材が前記取外位置まで移動することが不可となり、前記ストッパ部材が前記固定部から取り外された状態では前記中間部材の移動の規制が解除されて前記中間部材が前記取外位置まで移動することが可能になる請求項１に記載の冷蔵庫。
【請求項３】
前記ストッパ部材は、前記中間部材の前方への移動を規制するものであって、
前記取外位置は、前記ストッパ部材と前記係止部とが係止する移動前端位置よりも前方に位置し、
前記取外位置において前記中間部材は前記固定部材に支持されている請求項２に記載の冷蔵庫。
【請求項４】
前記固定部材は、前記中間部材側へ突出し前記係止部よりも前方に設けられて前記係止部と係止する突出部を有し、
前記取外位置は、前記係止部と前記突出部とが係止する係止位置と前記移動前端位置との間に位置している請求項３に記載の冷蔵庫。
【請求項５】
前記ストッパ部材は、前記突出部に設けられている請求項４に記載の冷蔵庫。
【請求項６】
前記固定部材は、前記中間部材が前記取外位置にある場合に前記中間部材の移動を規制する規制部を有している請求項１から５のいずれか一項に記載の冷蔵庫。
【請求項７】
前記規制部は、前記ストッパ部材が前記固定部に取り付けられている場合において前記中間部材の移動を規制せず、前記ストッパ部材が前記固定部から取り外されている場合において前記中間部材の移動を規制する請求項６に記載の冷蔵庫。
【請求項８】
前記中間部材は、前記固定部材に設けられたレールを転がる滑車を有し、
前記規制部は、前記レールに設けられた前記滑車が入り込む溝又は切り欠きである請求項７に記載の冷蔵庫。
【請求項９】
前記ストッパ部材は、前記中間部材の後方への移動を規制するものであって、
前記取外位置は、前記ストッパ部材と前記係止部とが係止する移動後端位置よりも後方に位置している請求項２に記載の冷蔵庫。
【請求項１０】
前記中間部材と庫内後壁との間には、前記ストッパ部材を取り外した状態で前記中間部材を前記取外位置までの移動を可能とする空間が存する請求項９に記載の冷蔵庫。
【発明の詳細な説明】
【技術分野】
【０００１】
本発明の実施形態は、冷蔵庫に関する。
【背景技術】
【０００２】
一般に冷蔵庫においては、野菜室や冷凍室などに引き出し式の容器を備えたものがある。この場合、引き出し式の容器は、例えば扉の前後方向への移動に伴い前後方向へ伸縮するスライドレールによって実現される。このようなスライドレールは、例えば２つのレール部材の間にボールリテーナ式のガイドローラを設け、これら２つのレール部材を相互にスライド移動可能にして構成されている。
【０００３】
しかし、このような構成のスライドレールは、通常、レール部材同士を取り外すことが出来ず、そのため、メンテナンス作業が難しいとしった事情があった。
【先行技術文献】
【特許文献】
【０００４】
【特許文献１】特開２００９−３０８７５号公報
【発明の概要】
【発明が解決しようとする課題】
【０００５】
そこで、引き出し式の容器に用いるスライドレールのレールを着脱可能にし、メンテナンス性の向上が図られる冷蔵庫を提供する。
【課題を解決するための手段】
【０００６】
実施形態の冷蔵庫は、庫内に設けられた収納容器を前後方向へ引き出し可能に支持するスライドレールを備える。スライドレールは、庫内の側壁に固定された固定部材と、固定部材に対して庫内側に設けられ前後方向へ移動可能である中間部材と、中間部材に対して庫内側に設けられ前後方向へ移動可能である移動部材と、を有する。中間部材が所定の位置である取外位置にある場合に中間部材が固定部材から取り外し可能になる。
【図面の簡単な説明】
【０００７】
【図１】第１実施形態による冷蔵庫を示す斜視図
【図２】左側のスライドレールを引き出した状態で示す斜視図
【図３】左側のスライドレールを分解して示す斜視図
【図４】左側のスライドレールの正面図
【図５】ストッパ部材を固定部材から取り外した状態を示す斜視図
【図６】ストッパ部材を固定部材に取り付けた状態で示す横断底面図
【図７】中間部材が移動前端位置にある場合の前側ストッパ部材の周辺を示す斜視図
【図８】中間部材が移動前端位置にある場合の前側ストッパ部材の周辺を示す側面図
【図９】中間部材が取外位置にある場合の前側ストッパ部材の周辺を示す斜視図
【図１０】中間部材が取外位置にある場合の前側ストッパ部材の周辺を示す側面図
【図１１】第２実施形態による後側ストッパ部材の周辺を示す斜視図であって、（ａ）は中間部材が移動後端位置より前方にある場合、（ｂ）は中間部材が取外位置にある場合を示す図
【発明を実施するための形態】
【０００８】
以下、複数の実施形態による冷蔵庫について、図面を参照して説明する。なお、各実施形態において実質的に同一の構成部位には同一の符号を付し、説明を省略する。
（第１実施形態）
冷蔵庫１０は、図１に示すように、前面が開口した縦長矩形箱状の断熱箱体１１内に、複数の貯蔵室を有して構成されている。断熱箱体１１の内部には、上段から順に冷蔵室１２、野菜室１３が設けられ、その下方に製氷室１４及び上段冷凍室１５が左右に並べて設けられ、さらにその下方に下段冷凍室１６が設けられている。冷蔵庫１０は、冷蔵室扉２１、野菜室扉２２、製氷室扉２３、上段冷凍室扉２４、及び下段冷凍室扉２５を備えている。なお、冷蔵庫１０において、開口側すなわち各扉２１〜２５側を冷蔵庫１０の前側とする。
【０００９】
冷蔵室扉２１は、冷蔵室１２に対応して、図示しないヒンジにより観音開き式に設けられている。冷蔵室扉２１は、冷蔵室１２の前側の開口を開閉する。野菜室扉２２、製氷室扉２３、上段冷凍室扉２４、及び下段冷凍室扉２５は、それぞれ野菜室１３、製氷室１４、上段冷凍室１５、及び下段冷凍室１６に対応している。野菜室扉２２、製氷室扉２３、上段冷凍室扉２４、及び下段冷凍室扉２５は、それぞれ引き出し式に構成されている。下段冷凍室扉２５は、該扉２５の裏側に収納容器１６１を有している。また、野菜室扉２２、製氷室扉２３、上段冷凍室扉２４も、その裏側部分に図示しない収納容器が設けられている。
【００１０】
引き出し式の容器を有する野菜室１３、製氷室１４、上段冷凍室１５、下段冷凍室１６のうち、野菜室１３及び下段冷凍室１６の収容量は比較的多い。そのため、野菜室扉２２及び下段冷凍室扉２５は、スライドレール３０を備えている。野菜室扉２２及び下段冷凍室扉２５は、それぞれスライドレール３０を介して冷蔵庫１０の庫内の壁面に接続されている。そして、各スライドレール３０は、下段冷凍室１６の収納容器１６１及び図示しない野菜室１３の容器を支持している。
【００１１】
なお、図１には、冷蔵庫１０の庫内左側壁に設けられたスライドレール３０を示しているが、冷蔵庫１０の庫内右壁にも、このスライドレール３０を左右対称に構成したスライドレールが設けられている。以下では、左右のスライドレールについて、左側のスライドレール３０を代表して説明する。なお、以下の説明では、図１の紙面の右手前側を冷蔵庫１０の前方とし、その逆を冷蔵庫１０の後方とする。また、冷蔵庫１０の前方をスライドレール３０の前方とし、冷蔵庫１０の後方をスライドレール３０の後方とする。
【００１２】
図２に示すように、スライドレール３０は、全体として直線状に長い固定部材４０と中間部材５０と移動部材６０とを有している。スライドレール３０は、その長手方向が冷蔵庫１０の前後方向を向くように、冷蔵庫１０の庫内側面に設けられている。スライドレール３０は、固定部材４０と中間部材５０と、及び中間部材５０と移動部材６０とが、それぞれ長手方向へ相対的に移動可能に構成されている。すなわち、スライドレール３０は、いわゆる三段引きのスライドレールに構成されている。
【００１３】
具体的には、固定部材４０は、前後方向を長手方向とし、例えば鋼板など金属製の板を曲げて構成されている。固定部材４０は、図４に示すように、冷蔵庫１０の庫内側壁１０１に、図示しないねじなどによって取り付けられている。なお、以下の説明では、スライドレール３０すなわち固定部材４０に対し、庫内側壁１０１と反対側を庫内側とする。
【００１４】
固定部材４０は、図２及び図３に示すように、第１補助部材受け部４０１、第２レール上面部４０２、第２片部４０３、後側突出部４０４、前側突出部４０５、ストッパ取付部４０６、及び切り欠き部４０７を一体に有している。第１補助部材受け部４０１は、固定部材４０の下端部において庫内側へ突出して設けられている。第１補助部材受け部４０１は、上側が開放した溝状に形成され、固定部材４０の長手方向の中央よりやや前寄り部分から後端部に亘って設けられている。
【００１５】
第２レール上面部４０２は、固定部材４０の上下方向の中央部分に設けられている。すなわち、固定部材４０の上下方向の中央部分は、該固定部材４０の長手方向の全体に亘り、庫内側へ向かって略水平に折り曲げられている。この固定部材４０が庫内側へ向かって折り曲げられた部分のうち、第１補助部材受け部４０１に対向する部分が第２レール上面部４０２となる。第２片部４０３は、固定部材４０の上端部分から上方へ向かって突出するように設けられている。第２片部４０３は、固定部材４０の長手方向の全体に亘って設けられている。
【００１６】
後側突出部４０４は、固定部材４０の長手方向の後端部分にあって、庫内側へ突出して設けられている。後側突出部４０４は、固定部材４０の一部が打ち抜かれて、その打ち抜いた部分を庫内側へ折り曲げて構成されている。前側突出部４０５は、固定部材４０の長手方向の中央よりやや前側より部分にあって、図５に示すように庫内側へ突出して設けられている。前側突出部４０５は、後側突出部４０４と同様に、固定部材４０の一部が打ち抜かれて、その打ち抜いた部分を庫内側へ折り曲げて構成されている。ストッパ取付部４０６は、前側突出部４０５よりも前側に設けられている。ストッパ取付部４０６は、固定部材４０の一部が打ち抜かれるとともにプレス加工され、これにより庫内側へ突出するとともに後方へ向かって開口した形状に形成されている。
【００１７】
切り欠き部４０７は、図３に示すように、第１補助部材受け部４０１の前端部の上方に位置し、第２レール上面部４０２の一部を切り欠いて形成されている。なお、切り欠き部４０７は、切り欠き形状に限られず、溝形状としても良い。切り欠き部４０７の前後方向の長さ寸法は、後述する中間部材５０の第２滑車５１の少なくとも一部が入り込む長さに設定されている。本実施形態において、切り欠き部４０７の前後方向の長さ寸法は、第２滑車５１の直径よりも大きく設定されている。
【００１８】
固定部材４０は、第１滑車４１、第１補助部材４２、第２レール部４３、及び前側前側ストッパ部材４４を有している。第１滑車４１は、例えば合成樹脂製の滑車であり、固定部材４０に対して回転可能に設けられている。第１滑車４１は、固定部材４０の前端部にあって第２レール上面部４０２よりも下側に設けられている。第１滑車４１は、固定部材４０に対して庫内側に設けられている。
【００１９】
第１補助部材４２は、合成樹脂性であって、全体として前後方向を長手方向とする棒状の部材で構成されている。第１補助部材４２は、第１補助部材受け部４０１内に収容されている。第１補助部材４２は、上側が開放され前後方向へ延びる溝形状の第１溝部４２１を有している。第２レール部４３は、第１補助部材４２の上面部と、第２レール上面部４０２とによって構成されている。この場合、第１補助部材４２の上面部は、第２レール下面部４３１として機能する。
【００２０】
前側ストッパ部材４４は、中間部材５０の前方への所定量以上の移動を規制するストッパ部材として機能する。前側ストッパ部材４４は、図５にも示すように、例えば合成樹脂の成型品である。前側ストッパ部材４４は、全体として固定部材４０の長手方向つまり前後方向に長い矩形箱状に形成され、長手方向の中央部が窪んでいる。また、前側ストッパ部材４４は、庫内側壁１０１側が開口しており、貫通穴４４１、弾性変形部４４２、及び係止爪部４４３を有している。
【００２１】
貫通穴４４１は、中央の窪み部分を、上下方向に長い矩形状に貫いて形成されている。弾性変形部４４２は、前側ストッパ部材４４の前側の壁部を構成する部分である。弾性変形部４４２は、庫内側の壁部と接続するとともに隣接する上下の２つの壁部から分離することで、庫内側の壁部との接続部分を支点に前側ストッパ部材４４の長手方向つまり前後方向へ弾性変形可能となっている。係止爪部４４３は、弾性変形部４４２の固定部材４０側の端部にあって、前方へ突出して設けられている。
【００２２】
前側ストッパ部材４４は、固定部材４０の前側突出部４０５に着脱可能つまり取り付け及び取り外し可能に設けられている。この場合、前側ストッパ部材４４を固定部材４０に取り付ける際、まず、前側ストッパ部材４４の貫通穴４４１に、固定部材４０の前側突出部４０５が通される。次に、弾性変形部４４２を後方へ弾性変形させながら、係止爪部４４３をストッパ取付部４０６の内側に挿入する。そして、弾性変形部４４２の弾性変形を解除することで、係止爪部４４３がストッパ取付部４０６の内側に係止し、前側ストッパ部材４４が固定部材４０に取り付けられる。
【００２３】
一方、前側ストッパ部材４４を固定部材４０から取り外す際、弾性変形部４４２を後方へ弾性変形させて係止爪部４４３の係止を解除する。そして、係止爪部４４３の係止を解除した状態で、前側ストッパ部材４４を庫内側へ移動させて、貫通穴４４１から固定部材４０の前側突出部４０５を抜く。これにより、前側ストッパ部材４４が固定部材４０の後側突出部４０４から取り外される。このように、前側ストッパ部材４４は、固定部材４０に取り付け及び取り外し可能に設けられている。
【００２４】
中間部材５０は、固定部材４０に対して庫内側に配置される。中間部材５０は、図２及び図３に示すように、前後方向を長手方向とし、例えば鋼板など金属製の板を曲げて構成されている。中間部材５０は、第１レール部５０１、第４レール上面部５０２、第４レール下面部５０３、第１片部５０４、第３片部５０５、段部５０６、前側曲部５０７、及び後側曲部５０８を一体に有している。第１レール部５０１は、中間部材５０の下端部にあって固定部材４０側へ突出して設けられている。すなわち、中間部材５０の下端部分は、該中間部材５０の長手方向の略全体に亘り、固定部材４０側へ向かって略水平に折り曲げられている。この中間部材５０が固定部材４０側へ折り曲げられた部分が、第１レール部５０１となる。
【００２５】
第４レール上面部５０２は、中間部材５０の上端部において庫内側へ突出して設けられている。第４レール上面部５０２は、中間部材５０の長手方向の中央よりやや前寄り部分から後端部に亘って設けられている。すなわち、中間部材５０の上端部は、該中間部材５０の長手方向の中央よりやや前寄り部分から後端部に亘り、庫内側へ向かって略水平に折り曲げられている。この中間部材５０の上端部が折り曲げられた部分が第４レール上面部５０２となる。
【００２６】
第４レール下面部５０３は、中間部材５０の上下方向の中央部分に設けられている。すなわち、中間部材５０の上下方向の中央部分は、中間部材５０の長手方向の全体に亘り、固定部材４０側へ向かって略水平に折り曲げられ、これにより段部５０６が形成されている。この段部５０６の上面が第４レール下面部５０３となる。この場合、第４レール上面部５０２と第４レール下面部５０３とによって、第４レール部５６が構成されている。
【００２７】
第１片部５０４は、中間部材５０の後端部の一部が下方へ突出して形成されている。第３片部５０５は、第４レール上面部５０２の庫内側の端部から、さらに上方へ向かって突出して設けられている。すなわち、第４レール上面部５０２の庫内側の端部は、さらに上方へ向かって折り曲げられている。これにより、第３片部５０５が形成されている。図８に示すように、前側曲部５０７は、第１片部５０４の前方に設けられている。後側曲部５０８は、第１片部５０４の後方に設けられている。前側曲部５０７及び後側曲部５０８は、中間部材５０の後端部の一部を固定部材４０側へ折り曲げて形成されている。中間部材５０を固定部材４０に対して前方へスライド移動させると、図９及び図１０に示すように、前側曲部５０７が、固定部材４０の後側突出部４０４に係止する。
【００２８】
中間部材５０は、第２滑車５１、第３滑車５２、第２補助部材５３、前側係止部５４、及び後側係止部５５を有している。第２滑車５１は、例えば合成樹脂製の滑車であって、中間部材５０に対して回転可能に設けられている。第２滑車５１は、中間部材５０の後端部に設けられている。第２滑車５１は、中間部材５０に対して固定部材４０側に設けられている。
【００２９】
第３滑車５２は、例えば合成樹脂製の滑車であって、中間部材５０に対して回転可能に設けられている。第３滑車５２は、中間部材５０の前端部にあって第４レール下面部５０３よりも上側に設けられている。第３滑車５２は、中間部材５０に対して庫内側に設けられている。すなわち、第４レール部５６の第４レール下面部５０３を構成する段部５０６に対して、上下方向の一方側この場合下側に第２滑車５１が設けられ、他方側この場合上側に第３滑車５２が設けられている。
【００３０】
第２補助部材５３は、合成樹脂製であって、全体として前後方向を長手とする板状の部材を折り曲げた形状に構成されている。第２補助部材５３は、第１レール部５０１と第４レール下面部５０３との間にあって、中間部材５０の長手方向に沿って設けられている。第２補助部材５３の上端部には、下方へ向かって開放した第２溝部５３１が設けられている。この第２溝部５３１は、第２補助部材５３の長手方向へ沿って設けられている。
【００３１】
前側係止部５４及び後側係止部５５は、合成樹脂製であって、中間部材５０の後端部に設けられている。前側係止部５４は、第２滑車５１の前側に設けられ、後側係止部５５は、第２滑車５１の後側に設けられている。すなわち、第２滑車５１は、前後方向において、前側係止部５４と後側係止部５５との間に設けられている。
【００３２】
移動部材６０は、中間部材５０に対して庫内側に配置されている。移動部材６０は、前後方向を長手方向とし、例えば鋼板など金属製の板を折り曲げて構成されている。移動部材６０は、第３レール部６０１、係止部６０２、扉取付部６０３、を一体に有している。第３レール部６０１は、移動部材６０の上端部において中間部材５０側へ突出して設けられている。すなわち、移動部材６０の上端部分は、該移動部材６０の長手方向の全体に亘り、中間部材５０側へ向かって略水平に折り曲げられている。この移動部材６０が中間部材５０側へ折り曲げられた部分を第３レール部６０１としている。
【００３３】
係止部６０２は、第３レール部６０１の後端部にあって、移動部材６０の上端部を下方へ窪ませて形成されている。すなわち、係止部６０２は、第３レール部６０１から下方へ突出している。
【００３４】
扉取付部６０３は、移動部材６０の前端部に設けられている。この場合、扉取付部６０３は、移動部材６０の前端部を、該扉取付部６０３の面が垂直となるよう庫内側へ折り曲げて形成されている。詳細は図示しないが、移動部材６０は、扉取付部６０３を扉２５の裏側すなわち庫内側の面に当てて、ねじなどによって該扉２５に取り付けられる。
【００３５】
移動部材６０は、第４滑車６１を有している。第４滑車６１は、例えば合成樹脂製の滑車であって、移動部材６０に対して回転可能に設けられている。第４滑車６１は、移動部材６０の後端部の上側にあって、第３レール部６０１より下方に設けられている。第４滑車６１は、移動部材６０に対して中間部材５０側に設けられている。
【００３６】
図２に示すように、固定部材４０と中間部材５０と移動部材６０とが組み立てられた状態において、中間部材５０の第１レール部５０１は、固定部材４０の前部に設けられた第１滑車４１に支持されている。また、固定部材４０の第２レール部４３のうち第２レール下面部４３１は、中間部材５０の後部に設けられた第２滑車５１を支持している。これにより、中間部材５０は、固定部材４０に対して前後方向へ移動可能に構成される。この場合、固定部材４０の第２片部４０３は、中間部材５０に設けられた第２補助部材５３の第２溝部５３１に沿って前後方向へ摺動する。また、中間部材５０の第１片部５０４は、固定部材４０に設けられた第１補助部材４２の第１溝部４２１に沿って前後方向へ摺動する。
【００３７】
中間部材５０は、前側ストッパ部材４４及び後側突出部４０４によって、所定量以上の移動が規制される。すなわち、中間部材５０が前方へ移動すると、中間部材５０の前側係止部５４が前側ストッパ部材４４の後端部に係止し、これにより中間部材５０の前方へのさらなる移動が規制される。この場合、前側係止部５４は、前側ストッパ部材４４と係止する係止部として機能する。この中間部材５０の前側係止部５４が前側ストッパ部材４４の後端部に係止する位置を、中間部材５０の移動前端位置とする。また、中間部材５０が後方へ移動すると、中間部材５０の後側係止部５５が固定部材４０の後側突出部４０４に係止し、これにより中間部材５０の後方へのさらなる移動が規制される。この中間部材５０の後側係止部５５が固定部材４０の後側突出部４０４に係止する位置を、中間部材５０の移動後端位置とする。
【００３８】
また、固定部材４０と中間部材５０と移動部材６０とが組み立てられた状態において、移動部材６０の第３レール部６０１は、中間部材５０の前部に設けられた第３滑車５２に支持されている。また、中間部材５０に設けられた第４レール部５６のうち第４レール下面部５０３は、移動部材６０の後部に設けられた第４滑車６１を支持している。これにより、移動部材６０は、中間部材５０に対して前後方向へ移動可能に構成される。
【００３９】
移動部材６０の第４滑車６１は、中間部材５０の第４レール部５６すなわち第４レール上面部５０２と第４レール下面部５０３との間に位置している。そのため、移動部材６０は、上方への移動が規制されている。そして、中間部材５０の第２滑車５１と移動部材６０の第４滑車６１とは、上下方向に重なって配置される。
【００４０】
次に、中間部材５０から移動部材６０の取り外しの手順について説明する。
使用者が、移動部材６０に扉２５が取り付けられた状態で扉２５を引くと、移動部材６０は前方へ移動する。すると、移動部材６０の係止部６０２が中間部材５０の第３滑車５２に係止され、移動部材６０の前方への移動が中間部材５０に伝わる。これにより、中間部材５０は、移動部材６０とともに、前方へ引き出される。そして、中間部材５０と移動部材６０とがさらに前方へ移動すると、中間部材５０に設けられた前側係止部５４が、固定部材４０の前側ストッパ部材４４の後端部に係止する。これにより、中間部材５０及び移動部材６０は、前側ストッパ部材４４より前方へ移動することが規制される。
【００４１】
使用者は、扉２５を前方へ引き出して移動部材６０の係止部６０２が中間部材５０の第３滑車５２に係止した後、扉２５を若干上方へ持ち上げるなどして移動部材６０の前端部を上方へ傾ける。そして、移動部材６０の前端部を上方へ傾けた状態で扉２５をさらに前方へ引き出すと、係止部６０２が第３滑車５２を乗り越える。これにより、移動部材６０は、さらに前方へ移動可能となる。
【００４２】
その後、さらに扉２５を引き出し、第４滑車６１が第４レール上面部５０２の前端部よりも前側に位置するまで、移動部材６０を前方へ移動させる。すると、第４滑車６１の上方には、中間部材５０の第４レール上面部５０２が存しなくなる。そのため、移動部材６０は、第４滑車６１が中間部材５０の第４レール上面部５０２に係止されることにより規制されていた上方への移動が可能となる。したがって、移動部材６０は、中間部材５０から取り外し可能となる。これにより、使用者は、扉２５及び収納容器１６１を、冷蔵庫１０から取り外すことができる。
【００４３】
次に、固定部材４０から中間部材５０の取り外しの手順について説明する。
移動部材６０は、図２に示すように、中間部材５０が移動前端位置にある状態で、中間部材５０から取り外される。この移動前端位置では、中間部材５０の第１片部５０４が固定部材４０の第１補助部材４２の第１溝部４２１の内側に入っている。そのため、中間部材５０が移動前端位置にあるときは、中間部材５０を固定部材４０から取り外すことはできない。
【００４４】
使用者は、中間部材５０を固定部材４０から取り外す際、まず前側ストッパ部材４４を固定部材４０から取り外す。前側ストッパ部材４４が固定部材４０から取り外されると、図９及び図１０に示すように、中間部材５０の前側係止部５４と前側ストッパ部材４４の後端部との係止が解除される。これにより、中間部材５０は、移動前端位置を越えて前方へ移動可能になる。さらに移動前端位置よりも前方に中間部材５０を引き出すと、図９及び図１０に示すように、中間部材５０の第１片部５０４が固定部材４０の第１補助部材４２の第１溝部４２１から抜ける。
【００４５】
この場合、中間部材５０をさらに前方へ移動させると、中間部材５０の前側曲部５０７が固定部材４０の後側突出部４０４に係止する。この中間部材５０の前側曲部５０７が固定部材４０の後側突出部４０４に係止する位置を、係止位置とする。この係止位置において、中間部材５０の第２滑車５１は、固定部材４０の第１補助部材４２に支持されている。
【００４６】
ここで、中間部材５０の第１片部５０４が固定部材４０の第１補助部材４２の第１溝部４２１から抜けた位置から係止位置までの間を、所定の位置である取外位置とする。中間部材５０が取外位置にあるとき、中間部材５０は、固定部材４０から取り外すことができる。すなわち、取外位置において、第２滑車５１は、図１０に示すように、切り欠き部４０７の下方に位置している。この取外位置において、中間部材５０を上方へ浮かせると、第２滑車５１が切り欠き部４０７の内側に入り込む。このため、取外位置においては、第２滑車５１の上端部が固定部材４０の第２レール上面部４０２に規制されることなく、中間部材５０を全体的に上方へ浮かせることができる。そして、中間部材５０を全体的に上方へ浮かせると、中間部材５０の第２補助部材５３の第２溝部５３１から、固定部材４０の第２片部４０３が抜ける。その後、中間部材５０を庫内側へ移動させることにより、固定部材４０から中間部材５０が取り外される。
【００４７】
なお、固定部材４０に対する中間部材５０の取り付け、及び中間部材５０に対する移動部材６０の取り付けは、上述した取り外しの手順と逆の手順により行う。すなわち、まず、中間部材５０を固定部材４０に取り付け、その後、移動部材６０を中間部材５０に取り付ける。
【００４８】
ここで、中間部材５０を固定部材４０に取り付ける際、固定部材４０の切り欠き部４０７は、前側ストッパ部材４４が固定部材４０から取り外されている状態において、中間部材５０の後方への移動を規制する規制部として機能する。一方、切り欠き部４０７は、前側ストッパ部材４４が固定部材４０に取り付けられると、中間部材５０の後方への移動を規制しない。
【００４９】
すなわち、中間部材５０を固定部材４０に取り付ける際、第２滑車５１を固定部材４０の第２レール下面部４３１上に配置し、図９及び図１０に示す状態にする。この状態において、固定部材４０の第１滑車４１は、中間部材５０の前後方向の中心よりも後ろ寄り部分を支持している。そのため、中間部材５０には、第１滑車４１を支点として前方へ回転する方向へ力が作用している。そのため、中間部材５０の第２滑車５１が浮き上がり、固定部材４０の切り欠き部４０７の内側に入り込む。この場合、中間部材５０に、移動部材６０や収納容器１６１が取り付けられていると、中間部材５０には、前方へ回転させる力がより大きく作用する。このように、前側ストッパ部材４４が固定部材４０から取り外された状態では、中間部材５０の第２滑車５１が切り欠き部４０７に入り込むことにより、中間部材５０の後方への移動が規制される。
【００５０】
一方、前側ストッパ部材４４が固定部材４０に取り付けられた状態では、中間部材５０の第２滑車５１が切り欠き部４０７の下方に位置することがない。このため、前側ストッパ部材４４が固定部材４０に取り付けられた状態では、切り欠き部４０７により中間部材５０の移動が規制されることがない。したがって、前側ストッパ部材４４を固定部材４０に取り付けることで、中間部材５０が、前後方向へ移動可能となる。
【００５１】
上述した第１実施形態によれば、スライドレール３０は、中間部材５０が取外位置にある場合に、庫内側壁１０１に固定された固定部材４０から取り外すことができる構成になっている。これによれば、使用者は、中間部材５０を固定部材４０から取り外すことで、中間部材５０自体の清掃や庫内側壁１０１の清掃がし易くなり、メンテナンス性の向上が図られる。
【００５２】
前側ストッパ部材４４は、固定部材４０に対して取り外し可能に設けられている。前側ストッパ部材４４が固定部材４０に取り付けられた状態では、中間部材５０の前側係止部５４と前側ストッパ部材４４の後端部とが係止して中間部材５０の移動が規制され、中間部材５０が取外位置まで移動することが不可となる。一方、前側ストッパ部材４４が固定部材４０から取り外された状態では、中間部材５０の前側係止部５４と前側ストッパ部材４４の後端部との係止が解除されて中間部材５０の移動の規制が解除される。これにより、中間部材５０は、取外位置まで移動可能になる。すなわち、固定部材４０に対し前側ストッパ部材４４を着脱することで、容易に、中間部材５０を取り外すことができる状態と、取り外すことができない状態とに切り替えることができる。
【００５３】
中間部材５０を固定部材４０から取り外すことが可能な取外位置は、中間部材５０の移動前端位置よりも前方に位置している。これによれば、使用者は、まず、移動部材６０を中間部材５０から取り外すために、これら移動部材６０及び中間部材５０を前方へ引き出す。その後、使用者は、中間部材５０を再び後方へ移動させることなく、中間部材５０を固定部材４０から取り外すことができる。よって、中間部材５０の取り外し作業がさらに容易になり、その結果、メンテナンス性の向上が図られる。
【００５４】
また、取外位置は、中間部材５０の前側係止部５４と固定部材４０の前側突出部４０５とが係止する係止位置と、中間部材５０の移動前端位置との間に位置している。ここで、中間部材５０を固定部材４０から取り外すために中間部材５０を前方へ引き出した際、固定部材４０の支持が急に無くなると、中間部材５０が落下するなどのおそれがある。そこで、本実施形態では、この取外位置において、中間部材５０は、第２滑車５１が固定部材４０の第２レール下面部４３１に支持されているとともに、第１レール部５０１が固定部材４０の第１滑車に支持されている。これによれば、中間部材５０を固定部材４０から取り外すために中間部材５０を前方へ引き出した際、固定部材４０の支持が急に無くなることを防ぐことができる。よって、使用者は、安全に中間部材５０を固定部材４０から取り外すことができる。
【００５５】
また、前側ストッパ部材４４が固定部材４０に取り付けられている状態にはおいて、固定部材４０の切り欠き部４０７は、中間部材５０の移動を規制しない。一方、前側ストッパ部材４４が固定部材４０から取り外された状態においては、切り欠き部４０７は、規制部として機能し、中間部材５０の移動を規制する。これによれば、前側ストッパ部材４４を固定部材４０に取り付けなければ、中間部材５０を移動させることができない。したがって、中間部材５０を固定部材４０に取り付ける際の、前側ストッパ部材４４の取り付け忘れを防止することができる。
【００５６】
また、上記規制部は、固定部材４０の第２レール上面部４０２にあって、中間部材５０の第２滑車５１が入り込む切り欠き又は溝形状に形成されている。これによれば、規制部を設けるために、別部品を設ける必要がないため、簡易な構成で上記規制部を実現することができる。
【００５７】
（第２実施形態）
次に、図１１を参照して第２実施形態について説明する。
第２実施形態において、中間部材５０は、後方へ移動させることによって固定部材４０から取り外される。つまり、中間部材５０の取外位置は、庫内の後側に位置している。
具体的には、固定部材４０は、図１１（ａ）に示すように、第１実施形態における後側突出部４０４に換えて、後側ストッパ部材４５を有している。後側ストッパ部材４５は、中間部材５０の後方への所定量以上の移動を規制するストッパ部材として機能する。後側ストッパ部材４５は、固定部材４０に対して取り外し可能に設けられている。この場合、後側ストッパ部材４５は、詳細は図示しないが、第１実施形態の前側ストッパ部材４４と同様のいわゆるスナップフィットを有し、これにより固定部材４０に着脱可能となっている。
【００５８】
後側ストッパ部材４５が固定部材４０に取り付けられた状態で、中間部材５０が後方へ移動すると、中間部材５０の後側係止部５５が後側ストッパ部材４５の前端部に係止し、これにより中間部材５０のさらなる後方への移動が規制される。この場合、後側係止部５５は、後側ストッパ部材４５と係止する係止部として機能する。また、この中間部材５０の後側係止部５５が後側ストッパ部材４５の前端部に係止する位置を、中間部材５０の移動後端位置とする。そして、中間部材５０の取外位置は、この移動後端位置よりも後方に位置している。
【００５９】
後側ストッパ部材４５が固定部材４０から取り外されると、中間部材５０の後方への移動の規制が解除される。この場合、中間部材５０と庫内後壁１０２との間には、中間部材５０を取外位置までの移動を可能とする空間Ｌが存している。そのため、中間部材５０は、図１１（ｂ）に示す取外位置まで移動することが出来る。この取外位置において、中間部材５０の第２滑車５１の上方には固定部材４０の第２レール上面部４０２が存していない。そのため、使用者は、この取外位置において、中間部材５０をやや上方へ浮かせることで、上記第１実施形態と同様に、中間部材５０を固定部材４０から取り外すことができる。
【００６０】
この第２実施形態においても、スライドレール３０は、中間部材５０が取外位置にある場合に、庫内側壁１０１に固定された固定部材４０から取り外すことができる。したがって、使用者は、中間部材５０を固定部材４０から取り外すことで、中間部材５０自体の清掃や庫内側壁１０１の清掃がし易くなり、メンテナンス性の向上が図られる。
【００６１】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変更は、発明の範囲や要旨に含まれるとともに、特許請求の範囲に記載された発明とその均等の範囲に含まれる。
【符号の説明】
【００６２】
図面中、１０は冷蔵庫、１０１は庫内側壁、１０２は庫内後壁、１６１は収納容器、３０はスライドレール、４０は固定部材、４０７は切り欠き部（規制部）、４４は前側ストッパ部材（ストッパ部材）、４５は後側ストッパ部材（ストッパ部材）、５０は中間部材、５４は前側係止部（係止部）、５５は後側係止部（係止部）、６０は移動部材を示す。
【図１】
2015209993.tif 000003
【図２】
2015209993.tif 000004
【図３】
2015209993.tif 000005
【図４】
2015209993.tif 000006
【図５】
2015209993.tif 000007
【図６】
2015209993.tif 000008
【図７】
2015209993.tif 000009
【図８】
2015209993.tif 000010
【図９】
2015209993.tif 000011
【図１０】
2015209993.tif 000012
【図１１】
2015209993.tif 000013